(57)【要約】【課題】  本発明はパラペットの上面や外壁面に取付ける一方の取付金具と他方の取付金具が小さく、軽量のものを使用しても、目地カバーが異なる左右方向および上下方向に揺れ動いても、その揺れ動きを吸収することができる、設置作業が容易で、低コストで行なうことができる目地装置を得るにある。【解決手段】  一方のパラペットの上面に、所定間隔で固定された複数個のアングルあるいはチャンネル状の一方の取付金具と、この一方の取付金具にそれぞれ一方寄りの部位が枢支ピンで垂直方向に回動可能に取付けられた両端部が、左右のパラペットの内側部位に位置する複数個の支持金具と、この支持金具の他方のパラペット上に位置する部位にそれぞれ形成された左右方向に長い長孔と、この長孔にそれぞれ挿入される支持バー、この支持バーの両端部をそれぞれ支持する他方のパラペットの上面に所定間隔で固定されたチャンネル状の取付金具とからなる複数個の他方の取付金具と、複数個の支持金具に支持された状態で固定される目地カバーとで目地装置を構成している。【選択図】  図４
2005133388.tif 000002
【特許請求の範囲】
【請求項１】
目地部を介して建てられた左右の建物の対向する部位の一方のパラペットの上面に、所定間隔で固定された複数個のアングルあるいはチャンネル状の一方の取付金具と、この一方の取付金具にそれぞれ一方寄りの部位が枢支ピンで垂直方向に回動可能に取付けられた両端部が、前記左右のパラペットの内側部位に位置する複数個の支持金具と、この支持金具の他方のパラペット上に位置する部位にそれぞれ形成された左右方向に長い長孔と、この長孔にそれぞれ挿入される支持バー、この支持バーの両端部をそれぞれ支持する他方のパラペットの上面に所定間隔で固定されたチャンネル状の取付金具あるいはそれぞれの長孔を貫通する支持バー、この支持バーの所定部位を支持する他方のパラペットの目地部側の外壁面に所定間隔で固定された取付金具とからなる複数個の他方の取付金具と、前記複数個の支持金具に支持された状態で固定される目地カバーとからなる目地装置。
【請求項２】
目地部を介して建てられた左右の建物の他方のパラペットと対向する部位の一方の外壁躯体に、所定間隔で固定された複数個のアングルあるいはチャンネル状の一方の取付金具と、この一方の取付金具にそれぞれ一端部寄りの部位が枢支ピンで垂直方向に回動可能に取付けられた他端部が他方のパラペットの内側部位に位置する複数個の支持金具と、この支持金具の他方のパラペット上に位置する部位にそれぞれ形成された左右方向に長い長孔と、この長孔にそれぞれ挿入される支持バー、この支持バーの両端部をそれぞれ支持する他方のパラペットの上面に所定間隔で固定されたチャンネル状の取付金具とからなる複数個の他方の取付金具と、前記複数個の支持金具に支持された状態で固定される目地カバーとからなることを特徴とする目地装置。
【請求項３】
複数個の支持金具は下部が開口するほぼチャンネル状の支持バー本体と、この支持バー本体の両端部に形成された目地カバーの取付片とで構成したものを用いるとともに、支持金具の一側壁を枢支ピンで一方の取付金具に枢支させたことを特徴とする請求項１、２いずれかに記載の目地装置。
【発明の詳細な説明】
【技術分野】
【０００１】
本発明は目地部を介して建てられた左右の建物のパラペット間あるいは外壁面とパラペット間を覆う目地装置に関する。
【背景技術】
【０００２】
従来のパラペット間を覆う目地装置はパラペットの上面を覆うような固定金具や支持板に取付けられた複数本の支持バーに目地カバーを取付けている。
【０００３】
このため、支持バーを支持するための固定金具や支持板が長く、重いため取付けに手数がかかり、コスト高になるという欠点があった。
【特許文献１】特許３０９５３６５
【発明の開示】
【発明が解決しようとする課題】
【０００４】
本発明は以上のような従来の欠点に鑑み、パラペットの上面や外壁面に取付ける一方の取付金具と他方の取付金具が小さく、軽量のものを使用しても、目地カバーが異なる左右方向および上下方向に揺れ動いても、その揺れ動きを吸収することができる、設置作業が容易で、低コストで行なうことができる目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の対向する部位の一方のパラペットの上面に、所定間隔で固定された複数個のアングルあるいはチャンネル状の一方の取付金具と、この一方の取付金具にそれぞれ一方寄りの部位が枢支ピンで垂直方向に回動可能に取付けられた両端部が、前記左右のパラペットの内側部位に位置する複数個の支持金具と、この支持金具の他方のパラペット上に位置する部位にそれぞれ形成された左右方向に長い長孔と、この長孔にそれぞれ挿入される支持バー、この支持バーの両端部をそれぞれ支持する他方のパラペットの上面に所定間隔で固定されたチャンネル状の取付金具あるいはそれぞれの長孔を貫通する支持バー、この支持バーの所定部位を支持する他方のパラペットの目地部側の外壁面に所定間隔で固定された取付金具とからなる複数個の他方の取付金具と、前記複数個の支持金具に支持された状態で固定される目地カバーとで目地装置を構成している。
【０００７】
また、本発明は目地部を介して建てられた左右の建物の他方のパラペットと対向する部位の一方の外壁躯体に、所定間隔で固定された複数個のアングルあるいはチャンネル状の一方の取付金具と、この一方の取付金具にそれぞれ一端部寄りの部位が枢支ピンで垂直方向に回動可能に取付けられた他端部が他方のパラペットの内側部位に位置する複数個の支持金具と、この支持金具の他方のパラペット上に位置する部位にそれぞれ形成された左右方向に長い長孔と、この長孔にそれぞれ挿入される支持バー、この支持バーの両端部をそれぞれ支持する他方のパラペットの上面に所定間隔で固定されたチャンネル状の取付金具とからなる複数個の他方の取付金具と、前記複数個の支持金具に支持された状態で固定される目地カバーとで目地装置を構成している。
【発明の効果】
【０００８】
以上の説明から明らかなように、本発明にあっては次に列挙する効果が得られる。
【０００９】
（１）一方のパラペットの上面に所定間隔で複数個のアングル状の一方の取付金具を固定するとともに、他方のパラペットの上面に所定間隔で複数個のチャンネル状の他方の取付金具を固定し、これらに支持される複数個の支持金具の一方寄りの部位を枢支ピンで一方の取付金具に取付け、他方寄りの長孔が形成された部位に支持バーを貫通させて他方の取付金具に支持させているので、一方のパラペットと他方のパラペットの上面に取付ける一方の固定金具と他方の固定金具は小さく、容易に取付けることができる。
したがって、建物の上部での設置作業を容易に行なうことができる。
【００１０】
（２）前記（１）によって、複数個の支持金具の長孔を貫通する支持バーを他方の固定金具に支持させているので、左右の建物の異なる左右方向の揺れ動きを支持バーの長孔内のスライド移動により、その揺れ動きを吸収することができる。
【００１１】
（３）前記（１）によって、複数個の支持金具の一方寄りの部位を枢支ピンで枢支しているので、左右の建物の異なる上下方向の揺れ動きを枢支ピンを支点とした上下方向の回動により、その揺れ動きを吸収することができる。
【００１２】
（４）前記（１）によって、構造が簡単で、頑丈に設置することができる。
【００１３】
（５）請求項２も前記（１）〜（４）と同様な効果が得られる。
【００１４】
（６）請求項３も前記（１）〜（４）と同様な効果が得られるとともに、十分な強度の複数個の支持金具で目地カバーを支持することができる。
【発明を実施するための最良の形態】
【００１５】
以下、図面に示す本発明を実施するための最良の形態より、本発明を詳細に説明する。
【００１６】
図１ないし図１１に示す本発明を実施するための最良の第１の形態において、１は目地部２を介して建てられた左右の建物３、３の対向する部位の一方のパラペット３ａと他方のパラペット３ａとの間を覆う本発明の目地装置で、この目地装置１は前記一方のパラペット３ａの上面に、図５に示すように所定間隔でアンカーボルト４等により固定された複数個のアングル状の一方の取付金具５と、この一方の取付金具５にそれぞれ一方寄りの部位が枢支ピン６で垂直方向に回動可能に取付けられた両端部が、前記左右のパラペット３ａ、３ａの内側部位に位置する複数個の支持金具７と、この支持金具７の他方のパラペット３ａ上に位置する部位にそれぞれ形成された左右方向に長い長孔８と、この長孔８にそれぞれ挿入される支持バー９、この支持バー９の両端部をそれぞれ支持する他方のパラペット３ａの上面に、図６に示すように所定間隔でアンカーボルト４等により固定されたチャンネル状の取付金具１０とからなる複数個の他方の取付金具１１と、前記複数個の支持金具７に支持された状態で、複数本のビス１２等によって固定された目地カバー１３と、この目地カバー１３の一方の内側端部と前記一方のパラペット３ａの内側壁３ｂとに両端部が取付具１４、１５によって取付けられた逆U字状に曲げられたゴムあるいは薄金属板等の一方の風雨浸入阻止シート１６と、前記目地カバー１３の他方の内側端部と前記他方のパラペット３ａの内側壁３ｂとに両端部が取付具１７、１８によって取付けられた、ほぼＭ字状のゴムあるいは薄金属板等の他方の風雨浸入阻止シート１９と、前記一方のパラペット３ａに取付けられた取付具１５の取付板２０の下部および前記他方のパラペット３ａに取付けられた取付具１８の取付板２１の下部に形成された凹部２２、２３内に充填されたシール剤２４、２４と、前記パラペット３ａ、３ａ間を覆うU字状に配置された防水シート２５とで構成されている。
【００１７】
前記複数個の支持金具７は図７および図８に示すように、ほぼ中央部が上方へ突出するように形成された両側壁２６、２６、この両側壁２６、２６の上部と一体形成された上部壁２７とからなる下部が開口するチャンネル状の支持バー本体２８と、この支持バー本体２８の両端部を覆うように形成された、前記目地カバー１３を少なくとも１本以上のビス１２で固定する目地カバーの取付片２９、２９と、前記支持バー本体２８の一方寄りの部位の一方の側壁２６に形成された枢支ピン挿入孔３０と、前記支持バー本体２８の他方寄りの部位の両側壁２６、２６に形成された長孔８、８とで構成されている。
【００１８】
前記目地カバー１３は図９に示すように、前記複数個の支持金具７を覆うように支持される山形状の目地カバー本体３１と、この目地カバー本体３１の両端部より下方へ突出するように曲げられた両側壁３２、３２と、前記目地カバー本体３１の両端部を覆うように複数本のビス１２で固定された両側壁３２、３２よりも下部が下方へ突出する両側壁３３、３３とで構成されている。
【００１９】
上記構成の目地装置１は左右の建物３、３のパラペット３ａ、３ａ上にアングル状の一方の取付金具５を取付けるとともに、チャンネル状の他方の取付金具１１を取付けることにより、取付けることができ、地震等によって左右の建物３、３が異なる左右方向に揺れ動いた場合には、図１０に示すように他方の取付金具１１の支持バー９が支持金具７の長孔８を左右方向にスライド移動して、その揺れ動きを吸収する。
また、左右の建物３、３が異なる上下方向に揺れ動いた場合には、図１１に示すように支持金具７が一方の取付金具５に取付けられている枢支ピン６を支点に回動して、その揺れ動きを吸収する。
なお、仮想線で示すように支持金具７の幅寸法よりもチャンネル状の取付金具１０の両側壁の幅寸法を大きく設定することにより、前後方向の揺れ動きを吸収することができる。
[発明を実施するための異なる形態]
【００２０】
次に、図１２ないし図３０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００２１】
図１２ないし図１４に示す本発明を実施するための第２の形態において、前記本発明を実施するための最良の第１の形態と主に異なる点は、支持金具７の幅寸法よりもわずかに大きい幅寸法のチャンネル状の一方の取付金具５Ａと、この一方の取付金具５Ａよりも両側壁２６、２６の間隔が大きい他方の取付金具１１Ａとを用いた点で、このような一方の取付金具５Ａ、他方の取付金具１１Ａを用いて構成した目地装置１Ａにしても、前記本発明を実施するための最良の第１の形態と同様な作用効果が得られるとともに、支持金具７と他方の取付金具１１Ａの両側壁１１ａ、１１ａとの前後方向に遊びが生じ、左右の建物３、３の異なる前後方向の揺れ動きを吸収することができる。
【００２２】
図１５ないし図２０に示す本発明を実施するための第３の形態において、前記本発明を実施するための最良の第１の形態と主に異なる点は、一方の建物３の凹部３４が形成された部位の下部外壁面３Ｃにアングル状の一方の取付金具５Ｂを取付けるとともに、該一方の取付金具５Ｂに支持金具７Ａの一方の端部寄りの部位を枢支ピン６で枢支し、前記凹部３４内に挿入される一側部が上方へ突出し、他側部が下方へ突出する目地カバー１３Ａを用いた点で、このように構成した目地装置１Ｂにしても、前記本発明を実施するための最良の第１の形態と同様な作用効果が得られる。
【００２３】
図２１ないし図２３に示す本発明を実施するための第４の形態において、前記本発明を実施するための第３の形態と主に異なる点は、チャンネル状の一方の取付金具５Ｃを用いた点で、このような一方の取付金具５Ｃを用いて構成した目地装置１Ｃにしても、前記本発明を実施するための第３の形態と同様な作用効果が得られる。
【００２４】
図２４ないし図２６に示す本発明を実施するための第５の形態において、前記本発明を実施するための最良の第１の形態と主に異なる点は、一方の壁面だけの支持金具７Bを用いた点で、このように形成した支持金具７Bを用いて構成した目地装置１Dにしても、前記本発明を実施するための最良の第１の形態と同様な作用効果が得られるとともに、支持金具７Bが安価に製造でき、かつ、前後方向の揺れ動きを吸収することができる。
【００２５】
図２７ないし図３０に示す本発明を実施するための第６の形態において、前記本発明を実施するための最良の第１の形態と主に異なる点は、複数個の支持金具７、７、７の長孔８、８、８、８、８、８にそれぞれ挿入される棒状の支持バー９Aを他方のパラペット３ａの目地側外壁面に複数本のビス３５等によって固定された複数個の取付金具１０Ａ、１０Ａ、１０Ａ、１０Ａを使用した他方の取付金具１１Ｂを用いた点で、このように形成した他方の取付金具１１Ｂを用い用いて構成した目地装置１Ｅにしても、前記本発明を実施するための最良の第１の形態と同様な作用効果が得られる。
【００２６】
なお、前記本発明を実施するための各形態ではチャンネル状に形成された支持金具を用いるものについて説明したが、本発明はこれに限らず、他側壁を用いない一側壁２６だけの支持金具を用いてもよく、また、他側壁には長孔を形成することなく、支持バー９の支持部が形成された支持金具を用いてもよい。
【産業上の利用可能性】
【００２７】
本発明は目地装置を製造する産業およびこれを設置する産業で利用される。
【図面の簡単な説明】
【００２８】
【図１】本発明を実施するための最良の第１の形態の平面図。
【図２】本発明を実施するための最良の第１の形態の正面図。
【図３】図１の３−３線に沿う断面図。
【図４】本発明を実施するための最良の第１の形態の目地カバーを外した平面図。
【図５】本発明を実施するための最良の第１の形態の一方の取付金具の説明図。
【図６】本発明を実施するための最良の第１の形態の他方の取付金具の説明図。
【図７】本発明を実施するための最良の第１の形態の支持金具の説明図。
【図８】図７の８−８線に沿う拡大断面図。
【図９】本発明を実施するための最良の第１の形態の目地カバーの説明図。
【図１０】本発明を実施するための最良の第１の形態の左右方向の動作説明図。
【図１１】本発明を実施するための最良の第１の形態の上下方向の動作説明図。
【図１２】本発明を実施するための第２の形態の平面図。
【図１３】本発明を実施するための第２の形態の目地カバーを外した平面図。
【図１４】本発明を実施するための第2の形態の一方の取付金具の説明図。
【図１５】本発明を実施するための第３の形態の平面図。
【図１６】本発明を実施するための第３の形態の正面図。
【図１７】本発明を実施するための第３の形態の目地カバーを外した状態の平面図。
【図１８】本発明を実施するための第３の形態の支持金具の説明図。
【図１９】本発明を実施するための第３の形態の一方の取付金具の説明図。
【図２０】本発明を実施するための第３の形態の目地カバーの説明図。
【図２１】本発明を実施するための第４の形態の平面図。
【図２２】本発明を実施するための第４の形態の目地カバーを外した状態の平面図。
【図２３】本発明を実施するための第４の形態の一方の取付金具の説明図。
【図２４】本発明を実施するための第５の形態の平面図。
【図２５】本発明を実施するための第５の形態の目地カバーを外した状態の平面図。
【図２６】本発明を実施するための第５の形態の支持金具の説明図。
【図２７】本発明を実施するための第６の形態の平面図。
【図２８】本発明を実施するための第６の形態の目地カバーを外した状態の平面図。
【図２９】図２８の２９−２９線に沿う拡大断面図。
【図３０】本発明を実施するための第６の形態の他方の取付金具の説明図。
【符号の説明】
【００２９】
１、１Ａ、１Ｂ、１Ｃ、１Ｄ、１Ｅ：目地装置、
２：目地部、                                    ３：建物、
３ａ：パラペット、                        ４：アンカーボルト、
５、５Ａ、５Ｂ、５Ｃ：一方の取付金具、
６：枢支ピン、                    ７、７Ａ、７Ｂ：支持金具、
８：長孔、                            ９、９Ａ：支持バー、
１０、１０Ａ：取付金具、
１１、１１Ａ、１１Ｂ：他方の取付金具、
１２：ビス、                                    １３、１３Ａ：目地カバー、
１４、１５：取付具、
１６：一方の風雨浸入阻止シート、
１７、１８：取付具、
１９：他方の風雨浸入阻止シート、
２０：取付板、                    ２１：取付板、
２２、２３：凹部、                        ２４：シール剤、
２５：防水シート、                        ２６：側壁、
２７：上部壁、                    ２８：支持バー本体、
２９；目地バーの取付片、３０：枢支ピン挿入孔、
３１：目地カバー本体、    ３２：側壁、
３３：端壁、                                    ３４：凹部、
３５：ビス。
【図１】
2005133388.tif 000003
【図２】
2005133388.tif 000004
【図３】
2005133388.tif 000005
【図４】
2005133388.tif 000006
【図５】
2005133388.tif 000007
【図６】
2005133388.tif 000008
【図７】
2005133388.tif 000009
【図８】
2005133388.tif 000010
【図９】
2005133388.tif 000011
【図１０】
2005133388.tif 000012
【図１１】
2005133388.tif 000013
【図１２】
2005133388.tif 000014
【図１３】
2005133388.tif 000015
【図１４】
2005133388.tif 000016
【図１５】
2005133388.tif 000017
【図１６】
2005133388.tif 000018
【図１７】
2005133388.tif 000019
【図１８】
2005133388.tif 000020
【図１９】
2005133388.tif 000021
【図２０】
2005133388.tif 000022
【図２１】
2005133388.tif 000023
【図２２】
2005133388.tif 000024
【図２３】
2005133388.tif 000025
【図２４】
2005133388.tif 000026
【図２５】
2005133388.tif 000027
【図２６】
2005133388.tif 000028
【図２７】
2005133388.tif 000029
【図２８】
2005133388.tif 000030
【図２９】
2005133388.tif 000031
【図３０】
2005133388.tif 000032